(57)【要約】【課題】音声通信を行っているときの電池の使用量を低減することができる端末装置を提供すること。【解決手段】移動体通信網を介して音声通信を行う音声通信部と、電池に蓄えられた電力量を監視し、監視した電池の電池残量を表す電池残量通知を出力する電力管理部と、予め準備されている音声通信における音声モードと電力消費量とが対応付けられたテーブルに基づいて、電池残量通知に表された電池の電池残量に適した音声モードでの音声通信への変更を、音声通信部に指示する通話電力処理部と、を備える。【選択図】図１
2016158117.tif 000002
【特許請求の範囲】
【請求項１】
移動体通信網を介して音声通信を行う音声通信部と、
電池に蓄えられた電力量を監視し、監視した前記電池の電池残量を表す電池残量通知を出力する電力管理部と、
予め準備されている前記音声通信における音声モードと電力消費量とが対応付けられたテーブルに基づいて、前記電池残量通知に表された前記電池の電池残量に適した音声モードでの前記音声通信への変更を、前記音声通信部に指示する通話電力処理部と、
を備える端末装置。
【請求項２】
前記音声通信部は、
通信パケットを前記移動体通信網に送受信する通信部と、
音声データに対して音声信号処理を行う音声処理部と、
を具備し、
前記通話電力処理部は、
前記音声通信の前記電池の電池残量に適した前記音声モードへの変更に際して、前記通信部に、該音声モードへの変更を要求する要求信号と該音声モードに関する情報とを含んだ通信パケットを前記移動体通信網の基地局に送信させ、該音声モードへの変更が許可されたことを表す返信が前記基地局からあった場合に、前記音声処理部に、現在の前記音声信号処理を該音声モードに対応する前記音声信号処理に変更するよう指示する、
請求項１に記載の端末装置。
【請求項３】
前記通話電力処理部は、
前記テーブルに基づいて、通話時間を確保するために前記音声モードの切り替えを行う必要がある電池残量の閾値を算出し、前記電池残量の閾値と、切り替わる前記音声モードとが対応づけられた変更テーブルを生成し、
前記変更テーブルは、
前記電池残量の閾値ごとに、前記音声処理部が前記音声信号処理を行う際の音声コーデックの種別と、該音声コーデックによって前記音声データを変換する際のビットレートの値とが対応付けられたテーブルであり、
前記通話電力処理部は、
前記音声モードに関する情報として前記音声コーデックの種別と前記ビットレートの値とを含んだ前記音声信号処理の設定値を前記通信部に送信させ、前記音声モードの変更が許可された場合、前記音声処理部の現在の前記音声信号処理の設定を、送信した前記音声コーデックの種別と前記ビットレートの値に変更するように指示する、
請求項２に記載の端末装置。
【請求項４】
前記テーブルは、
前記音声処理部が前記音声信号処理を行う際の音声コーデックの種別ごとに、前記音声データを変換する際のビットレートの値と、該ビットレートの値で音声コーデックが動作する際の電力消費量とが対応付けられたテーブルであり、
前記通話電力処理部は、
前記電池残量通知に表された前記電池の電池残量に基づいて、指定された前記音声モードで前記音声通信を行うことができる残りの通話時間を推定し、該推定した前記通話時間を表す情報の表示を表示部に指示し、最終的に前記音声モードが指定された場合に、前記音声モードに関する情報として前記音声コーデックの種別と前記ビットレートの値とを含んだ前記音声信号処理の設定値を前記通信部に送信させ、前記音声モードの変更が許可された場合、前記音声処理部の現在の前記音声信号処理の設定を、送信した前記音声コーデックの種別と前記ビットレートの値に変更するように指示する、
請求項２に記載の端末装置。
【請求項５】
前記音声通信は、
音声と撮影画像とが組み合わされた通信であり、
前記音声通信部は、
撮影部によって撮影された画像の情報に対して画像処理を行った画像データを生成する画像処理部、
をさらに具備し、
前記テーブルは、
予め定めた前記電池残量ごとに、前記画像処理部が前記画像処理を行う際の画像モードの情報がさらに対応付けられたテーブルであり、
前記通話電力処理部は、
前記音声通信の前記電池の電池残量に適した前記音声モードへの変更に際して、前記通信部に、前記画像モードの情報をさらに含んだ通信パケットを前記移動体通信網の基地局に送信させ、該画像モードへの変更が許可されたことを表す返信が前記基地局からあった場合に、前記画像処理部に、現在の前記画像処理を該画像モードに対応する前記画像処理に変更するよう指示する、
請求項３または請求項４に記載の端末装置。
【発明の詳細な説明】
【技術分野】
【０００１】
本発明は、端末装置に関する。
【背景技術】
【０００２】
従来から、例えば、携帯電話など、移動体通信網を介して音声通話を行う端末装置が実用化されている。端末装置では、通信回路や表示回路など、端末装置に備えたそれぞれの構成要素が、例えば、充電式の電池（バッテリ）に蓄えられた電力によって駆動される。端末装置に備えられる電池では、蓄えることができる電力量、すなわち、電池容量が限られている。しかし、近年では、限られた電池容量の中でも、端末装置の利用時間、つまり、通話時間を確保することが求められている。
【０００３】
そこで、例えば、特許文献１のような省電力化を図る移動体通信端末の技術が提案されている。特許文献１に開示された技術では、電源電圧が予め定めた閾値電圧を下回った場合に、無音時の音声信号の送受信や、音声信号の処理を行う音声信号処理回路への電源供給を停止する。これにより、特許文献１に開示された技術では、移動体通信端末の使用者（ユーザ）が通話中に会話していない無音時の省電力化を実現し、通話時間の確保を図っている。
【先行技術文献】
【特許文献】
【０００４】
【特許文献１】特開２００４−１４７０３３号公報
【発明の概要】
【発明が解決しようとする課題】
【０００５】
一方、近年の端末装置では、高品質な音声コーデックの音声信号処理回路としての採用や、高速な通信回路の採用など、高品質な音声通信の実現も進んでいる。このため、近年の端末装置では、高品質の音声信号処理や、高品質の通信処理に伴って消費電力が増大してしまう。しかしながら、特許文献１で開示された移動体通信端末の省電力化の技術では、上述したように、通話中においてユーザが会話をしていない無音時の処理を停止させることによって省電力化を図れるものの、通話中でかつユーザが会話をしているときには電池の使用量を低減することができない。
【０００６】
本発明は、上記の課題に基づいてなされたものであり、端末装置で音声通信を行っているときの電池の使用量を低減することができる端末装置を提供することを目的としている。
【課題を解決するための手段】
【０００７】
上記の課題を解決するため、本発明の端末装置は、移動体通信網を介して音声通信を行う音声通信部と、電池に蓄えられた電力量を監視し、監視した前記電池の電池残量を表す電池残量通知を出力する電力管理部と、予め準備されている前記音声通信における音声モードと電力消費量とが対応付けられたテーブルに基づいて、前記電池残量通知に表された前記電池の電池残量に適した音声モードでの前記音声通信への変更を、前記音声通信部に指示する通話電力処理部と、を備える。
【発明の効果】
【０００８】
本発明によれば、音声通信を行っているときの電池の使用量を低減することができる端末装置を提供することができるという効果を奏する。
【図面の簡単な説明】
【０００９】
【図１】本発明の第１の実施形態における端末装置の概略構成を示したブロック図である。
【図２】本発明の第１の実施形態の電力管理におけるテーブルの一例を示した図である。
【図３】本発明の第１の実施形態におけるモード変更の処理手順を示したフローチャートである。
【図４】本発明の第２の実施形態における電力管理の処理手順を示したフローチャートである。
【図５】本発明の第２の実施形態の電力管理における音声の設定値と電力消費量とを対応付けたテーブルの一例を示した図である。
【図６】本発明の第２の実施形態の電力管理において行う電池残量の換算方法の一例を示した図である。
【図７】本発明の第２の実施形態の電力管理において電池残量に応じた通話可能時間の情報を通知する画面の一例を示した図である。
【図８】本発明の第３の実施形態における電力管理の処理手順を示したフローチャートである。
【図９】本発明の第３の実施形態の電力管理における電池残量と、音声および画像の設定値とを対応付けたテーブルの一例を示した図である。
【発明を実施するための形態】
【００１０】
＜第１の実施形態＞
以下、本発明の第１の実施形態について、図面を参照して説明する。図１は、本発明の第１の実施形態における端末装置の機能面からみた概略構成を示すブロック図である。端末装置１は、端末制御部１０と、操作検知部２０と、電力管理部３０と、電池部３１と、表示制御部４０と、ディスプレイ４１と、カメラ制御部５０と、カメラ５１と、通話管理部６０と、音声処理部７０と、マイク７１と、スピーカー７２と、レシーバ７３と、記憶部８０と、通信制御部９０と、モデム部９１と、通話電力処理部１００と、を備えている。
【００１１】
端末制御部１０は、端末装置１内のそれぞれの構成要素、つまり、端末装置１の全体を制御する。
【００１２】
操作検知部２０は、端末装置１の使用者（ユーザ）による操作を検知し、ユーザによって入力される端末装置１に対する動作の指示などの操作を受け付ける。操作検知部２０は、受け付けたユーザによる操作を表す情報を端末制御部１０に出力する。ディスプレイ４１は、例えば、液晶ディスプレイや有機ＥＬディスプレイなどであって、入力された画像情報を表示する。表示制御部４０は、接続されたディスプレイ４１を制御する。表示制御部４０は、ユーザに情報を提示するための画像情報をディスプレイ４１に出力して表示させる。なお、端末装置１では、ディスプレイ４１と操作検知部２０とは、両者が組み合わされたタッチパネルとして構成されてもよい。この構成の場合、操作検知部２０は、例えば、押圧センサや静電センサを備え、ディスプレイ４１に表示された画像に対してユーザが行った各種のタッチ（タップやフリックなど）操作を検知し、ユーザによる端末装置１への操作の入力を受け付ける。
【００１３】
カメラ制御部５０は、端末制御部１０からの制御に応じて、カメラ５１を制御する。カメラ５１は、カメラ制御部５０からの制御に応じて撮影した被写体の画像情報をカメラ制御部５０に出力する。カメラ制御部５０は、カメラ５１から入力された画像情報に対して種々の画像処理を施した画像データ（以下、「撮影画像」という）を生成し、生成した撮影画像を記憶部８０に記憶させる。
【００１４】
記憶部８０は、例えば、ＲＯＭやＲＡＭなどの種々のメモリで構成され、端末制御部１０が端末装置１における種々の処理を実行するためのプログラムや、端末装置１の動作に使用するデータを記憶する。
【００１５】
電池部３１は、端末装置１に備えたそれぞれの構成要素を駆動するための電力を供給する、例えば、リチウムイオン二次電池などの充電式の電池（バッテリ）である。電力管理部３０は、例えば、電池部３１の電圧値を検出することによって、接続された電池部３１に蓄えられた電力量、すなわち、電池残量を監視（モニター）する。電力管理部３０は、監視した電池部３１の電池残量を表す情報（以下、「電池残量通知」という）を、通話電力処理部１００に出力する。
【００１６】
通話管理部６０は、端末装置１における音声通信の状態の管理を行う。より具体的には、通話管理部６０は、端末装置１において音声通信が行われているか否か、つまり、ユーザが通話中であるか否かを管理する。また、通話管理部６０は、ユーザが通話中である場合、この通話における音声通信が、音声のみによる音声通話の通信であるか、音声と撮影画像とを組み合わせたビデオ通話の通信であるかを管理する。さらに、通話管理部６０は、音声通信において適用されている音声信号処理の設定を管理する。ここで、音声信号処理の設定には、音声通信において動作する音声コーデックの種別や、音声コーデックによって音声を変換する際のビットレートの値など（以下、音声コーデックの種別とビットレートの値などの音声信号処理の設定をまとめて「音声モード」という）が含まれている。
【００１７】
通話電力処理部１００は、端末装置１の音声通信の動作において、通話中の電力に関する全体の管理を行う。このとき、通話電力処理部１００は、電力管理部３０が監視した電池部３１の電池残量に基づいて、端末装置１における音声通信の通話時間を確保させるように、電力消費量を制御する。より具体的には、通話電力処理部１００は、予め準備され、例えば、記憶部８０に記憶している音声モードごとの電力消費量に基づいて、通話時間を確保するために音声モードの切り替えを行う必要がある電池残量の閾値（以下、「電池残量閾値」という）を算出する。そして、通話電力処理部１００は、音声モードが切り替わる電池残量閾値と、切り替わる音声モードの種類とが対応づけられたテーブル（以下、「音声モード変更テーブル」という）を生成し、生成した音声モード変更テーブルを、例えば、記憶部８０に記憶する。そして、通話電力処理部１００は、音声モード変更テーブルを参照し、電池部３１の電池残量に適した音声モードへの変更を指示する。
【００１８】
なお、通話電力処理部１００における電力消費量の制御機能は、例えば、記憶部８０に記憶されたプログラムを実行するソフトウェアによって実現される構成であってもよい。また、図１に示した端末装置１の構成では、通話電力処理部１００が単独の構成要素として備えられている場合を示しているが、通話電力処理部１００の電力消費量の制御機能が、例えば、端末制御部１０に備えた機能として実現される構成であってもよい。この場合も、端末制御部１０の機能、および端末制御部１０に備えた通話電力処理部１００の電力消費量の制御機能が、記憶部８０に記憶されたプログラムを実行するソフトウェアによって実現されてもよい。
【００１９】
音声処理部７０は、音声通信によって通話中の双方向の音声に対して音声信号処理を行う。音声処理部７０には、マイク７１、スピーカー７２、およびレシーバ７３が接続されている。マイク７１は、ユーザが通話中に発した言語音を、電気信号である音声信号として音声処理部７０に出力する音声入力部として機能する。スピーカー７２およびレシーバ７３は、音声処理部７０から出力された音声信号を物理振動に変えて音声を生み出す音声出力部として機能する。
【００２０】
音声処理部７０には、音声通信によって音声を受信する受話時と、音声通信によって音声を送信する発話時との音声モードが予め設定されている。そして、音声処理部７０は、受話時に、設定された種別の音声コーデックを用いて、通信制御部９０から出力されたモデム部９１が受信した音声データを、設定されたビットレートの値の音声信号に変換し、変換した音声信号を、接続されているスピーカー７２またはレシーバ７３を介して出力する。これにより、ユーザは、音声通信によって通話している相手から届いた音声を聴取する（受話する）ことができる。また、音声処理部７０は、発話時に、設定された種別の音声コーデックを用いて、接続されているマイク７１から入力された音声信号を、設定されたビットレートの値の音声データに変換し、変換した音声データを、通信制御部９０に出力してモデム部９１から送信させる。これにより、ユーザは、音声通信により遠隔地の相手に対して通話する（発話する）ことができる。
【００２１】
通信制御部９０は、接続されたモデム部９１を制御することによって、端末装置１における移動体通信網を利用した通信を制御する。モデム部９１は、既存の移動体通信網への通信パケットの送信、および移動体通信網からの通信パケットの受信を行う送受信部である。モデム部９１は、通信パケットの電波（送信電波）を不図示のアンテナを介して移動体通信網に送信する送信部９２と、移動体通信網からの通信パケットの電波（受信電波）を不図示のアンテナを介して受信する受信部９３とを備えている。モデム部９１による通信パケットの送受信では、音声通信を行う際の音声データの通信パケット（音声パケット）が送受信される。また、モデム部９１による通信パケットの送受信では、音声パケットの他にも、音声通信を行う際の制御信号の通信パケットなどが送受信される。例えば、音声通信によって通話している相手の端末装置との間で、音声モードを変更するための要求信号の通信パケットが送受信される。この要求信号の通信パケットには、音声コーデックの種別やビットレートの値などの情報が含まれている。なお、音声コーデックの種別やビットレートの値の変更を移動体通信網の中に設置された基地局が行う場合には、音声モードの変更要求の通信パケットを基地局に送信してもよい。
【００２２】
このような構成によって端末装置１は、音声通信を行う。このとき、端末装置１では、監視（モニター）している電池部３１の電池残量に応じて音声通信における音声モードを変更することによって、音声コーデックにおける電力消費量を最適化し、通話時間を確保させる。より具体的には、端末装置１では、通話電力処理部１００が、音声モードごとの電力消費量に基づいて予め算出した、音声モードの切り替えを行う必要がある電池残量閾値に基づいて、音声モードを電池部３１の電池残量に応じて変更することによって、音声信号処理における電力消費量を最適化させる。つまり、端末装置１では、通話電力処理部１００が、電池部３１の電池残量に適した音声信号処理が動作する音声コーデックを選択することによって、音声コーデックにおける電力消費量を最適化させる。
【００２３】
次に、第１の実施形態の端末装置１における電力の管理方法について説明する。第１の実施形態の端末装置１における電力管理の処理では、音声モードごとの電力消費量と確保したい通話時間とに応じて、電池部３１の電池残量に適した音声モードへの変更を行う、つまり、電池部３１の電池残量ごとに最適な音声モードに変更する処理である。
【００２４】
まず、第１の実施形態の端末装置１の電力管理におけるそれぞれのテーブルについて説明する。図２は、第１の実施形態の電力管理におけるテーブルの一例を示した図である。図２（ａ）には、電池部３１の電池残量の値と電池残量の割合とが対応づけられたテーブル（以下、「電池残量テーブル」という）の一例を示している。図２（ａ）に示した電池残量テーブルは、端末装置１が動作することができる電圧（動作電圧）に基づいて、電力管理部３０から取得した電池部３１の電池残量の値を、電池残量の割合に換算したテーブルである。図２（ａ）に示した電池残量テーブルでは、電池残量の割合が０［％］、すなわち、電池残量の値が１０［Ｗｈ］よりも大きい場合に、端末装置１が動作することができることを表している。
【００２５】
なお、実際の充電式の電池（バッテリ）では、電池残量の値［Ｗｈ］がある一定の値くらいから急激に電池残量の割合の減少が大きくなるが、図２（ａ）に示した電池残量テーブルの一例では、説明を容易にするため、電池残量の値［Ｗｈ］と電池残量の割合［％］との関係が線形である一例を示している。
【００２６】
図２（ｂ）には、音声モードと電力消費量とが対応づけられたテーブル（以下、「電力テーブル」という）の一例を示し、図２（ｃ）には、電池残量閾値と音声モードとが対応づけられたテーブル（音声モード変更テーブル）の一例を示している。なお、音声コーデックの種別には、「ＡＭＲ：Ａｄａｐｔｉｖｅ  Ｍｕｌｔｉ−Ｒａｔｅ  ＣＯＤＥＣ」や「ＥＶＳ：Ｅｎｈａｎｃｅｄ  Ｖｏｉｃｅ  Ｓｅｒｖｉｃｅｓ  ＣＯＤＥＣ」などがある。ここで、図２（ｂ）および図２（ｃ）に示したそれぞれのテーブルにおける音声モードは、これらの音声コーデックと、その音声コーデックごとに設定することが可能なビットレートの値とを具体的に組み合わせた音声信号処理の設定のことを表している。図２（ａ）〜図２（ｃ）に示したそれぞれのテーブルは、記憶部８０に記憶されている。
【００２７】
図２（ｂ）に示した電力テーブルは、それぞれの音声モードにおける音声コーデックの種別とビットレートの値で音声信号処理を行った場合の電力消費量の値が、音声モードごとに対応付けられている。図２（ｂ）に示した電力テーブルでは、４種類の音声モード（モード１〜モード４）のそれぞれにおける電力消費量の値（図２（ｂ）では、１時間あたりの電力消費量の値）の一例を示している。通話電力処理部１００は、例えば、ユーザによって指定された通話時間（以下、「通話可能時間」という）を確保するために音声モードを切り替える電池残量閾値を、電力テーブルに基づいて算出する。ここで、通話電力処理部１００における電池残量閾値の算出方法について説明する。それぞれの音声モードにおける電池残量閾値、つまり、現在の音声モードでは通話可能時間を確保することができないため、他の音声モードへの切り替えを行う必要がある電池残量の値は、下式（１）によって算出することができる。
【００２８】
（電池残量［Ｗｈ］）＝（通話可能時間［ｈ］）×（電力消費量［Ｗ］）＋（電池残量が０％のときの電池残量の値［Ｗｈ］）      ・・・（１）
【００２９】
例えば、電池残量が０％のときの電池残量の値が図２（ａ）に示した１０［Ｗｈ］である場合について考える。このとき、ユーザによって指定された通話可能時間が１［ｈ］であるとすると、音声モードがモード１である場合における電池残量は下式（２）のように求められる。
【００３０】
電池残量＝１［ｈ］×２［Ｗ］＋１０［Ｗｈ］＝１２［Ｗｈ］      ・・・（２）
【００３１】
上式（２）から、音声モードがモード１で通話可能時間を１［ｈ］確保するためには、電池残量の値が１２［Ｗｈ］（電池残量の割合が７０［％］）以上必要であることがわかる。すなわち、電池残量の割合が７０［％］未満であると、音声モードがモード１で通話可能時間を１［ｈ］確保することができないことがわかる。このことから、通話電力処理部１００は、電池残量の値＝１２［Ｗｈ］（電池残量の割合＝７０［％］）を、モード１から他の音声モード（例えば、モード２）に切り替える電池残量閾値であると決定する。
【００３２】
同様に、電池残量が０％のときの電池残量の値が１０［Ｗｈ］であり、ユーザによって指定された通話可能時間が１［ｈ］である場合について、それぞれの音声モードにおける電池残量閾値を算出すると、モード２における電池残量は下式（３）、モード３における電池残量は下式（４）、モード４における電池残量は下式（５）のように求められる。
【００３３】
電池残量＝１［ｈ］×１．１［Ｗ］＋１０［Ｗｈ］＝１１．１［Ｗｈ］  ・・・（３）
【００３４】
電池残量＝１［ｈ］×０．５［Ｗ］＋１０［Ｗｈ］＝１０．５［Ｗｈ］  ・・・（４）
【００３５】
電池残量＝１［ｈ］×０．２［Ｗ］＋１０［Ｗｈ］＝１０．２［Ｗｈ］  ・・・（５）
【００３６】
上式（３）〜上式（５）から、通話電力処理部１００は、それぞれの音声モードで通話可能時間を１［ｈ］確保するための電池残量閾値として、モード２では電池残量の値が１１．１［Ｗｈ］（電池残量の割合が４０［％］）、モード３では電池残量の値が１０．５［Ｗｈ］（電池残量の割合が２０［％］）、モード４では電池残量の値が１０．２［Ｗｈ］（電池残量の割合が１０［％］）をそれぞれ決定する。
【００３７】
図２（ｃ）は、通話電力処理部１００が電池残量を算出することによって決定したそれぞれの音声モードにおける電池残量閾値を対応付けた音声モード変更テーブルである。このように、音声モード変更テーブルでは、それぞれの音声モードを切り替える際の電池残量閾値（図２（ｃ）では、電池残量の割合で示している）が対応付けられている。通話電力処理部１００は、電池部３１の電池残量の値を電力管理部３０から取得すると、図２（ｃ）に示した音声モード変更テーブルを参照して、音声通信の通話時間を確保させるように、現在の音声モードを、電池部３１の電池残量に適した音声モードへの変更を指示する。
【００３８】
なお、通話可能時間は、上述したように、ユーザが指定することもできるが、予め定めた通話可能時間を端末装置１に設定しておくこともできる。
【００３９】
次に、第１の実施形態の端末装置１における音声モードの変更方法について説明する。図３は、第１の実施形態におけるモード変更の処理手順を示したフローチャートである。図３に示した第１の実施形態のモード変更の処理は、電池部３１の電池残量に適した音声モードで端末装置１が動作するように、音声モードを変更する場合の処理である。なお、記憶部８０には、図２（ｃ）に示した音声モード変更テーブルが記憶されているものとして説明する。また、それぞれの音声モードにおける音声信号処理の設定が、記憶部８０に記憶されているものとして説明する。
【００４０】
第１の実施形態の音声モードの変更処理（以下、「第１の音声変更処理」という）は、端末装置１において音声通信が開始されたときから実行される。第１の音声変更処理が実行されると、まず、電力管理部３０は、電池部３１の電池残量の監視を開始し、電池残量通知を通話電力処理部１００に出力する。そして、通話電力処理部１００は、電力管理部３０から出力された電池残量通知を受け取る（ステップＳ１０）。
【００４１】
続いて、通話電力処理部１００は、電力管理部３０から出力された電池残量通知に表された電池部３１の電池残量が、現在の音声モードにおける電池残量閾値を下回ったか否かを判定する（ステップＳ１１）。
【００４２】
ステップＳ１１において電池部３１の電池残量が現在の音声モードにおける電池残量閾値を下回ったと判定した場合（ステップＳ１１の“ＹＥＳ”）、通話電力処理部１００は、音声通信を行う音声モードを、電力消費量が少ない音声モード（例えば、現在の音声モードがモード１である場合、１つ下の音声モードであるモード２）に変更するために、音声モードの変更要求を、基地局に送信する（ステップＳ１２）。
【００４３】
このステップＳ１２における音声モードの変更要求の基地局への送信処理では、通話電力処理部１００は、まず、通信制御部９０に、変更する音声モードにおける音声信号処理の設定値を出力し、音声モードの変更要求の基地局への送信を指示する。これにより、通信制御部９０は、モデム部９１内の送信部９２を制御して、音声モードを変更する要求信号と変更する音声モードにおける音声信号処理の設定値の情報とを含んだ通信パケットを、基地局に送信する。ここで、モデム部９１から送信される通信パケットには、音声モードの設定値の情報として、通話電力処理部１００から入力された音声信号処理の設定値に含まれる音声コーデックの種別とビットレートの値とが含まれている。なお、基地局に対する音声モードの変更要求は、例えば、基地局との通信を確立するためのセッション  イニシエーション  プロトコル（Ｓｅｓｓｉｏｎ  Ｉｎｉｔｉａｔｉｏｎ  Ｐｒｏｔｏｃｏｌ：ＳＩＰ）において、セッションの変更であるアップデート（ＵＰＤＡＴＥ）リクエストによって行うことができる。
【００４４】
その後、通信制御部９０は、モデム部９１内の受信部９３が受信した、要求信号に対する基地局からの返信の情報を、通話電力処理部１００に通知する。通話電力処理部１００は、通信制御部９０から入力された基地局からの返信の情報が、音声モードの変更が許可されたことを表すか否かを判定する（ステップＳ１３）。
【００４５】
ステップＳ１３において音声モードの変更が許可されたと判定した場合（ステップＳ１３の“ＹＥＳ”）、通話電力処理部１００は、通話管理部６０に、変更する音声モードにおける音声信号処理の設定値を出力し、音声モードの変更を指示する。これにより、通話管理部６０は、現在の音声通信において適用されている音声信号処理の設定を、入力された音声モードの設定値に変更する。つまり、音声処理部７０に設定されている現在の音声コーデックの種別とビットレートの値を、入力された電力消費量が少ない音声モードの設定値に含まれる音声コーデックの種別とビットレートの値とに変更する（ステップＳ１４）。そして、通話電力処理部１００は、第１の音声変更処理を終了する。
【００４６】
一方、ステップＳ１３において音声モードの変更が許可されないと判定した場合（ステップＳ１３の“ＮＯ”）、通話電力処理部１００は、変更要求した今回の音声モードが、最も電力消費量が少ない音声モードであるか否かを判定する（ステップＳ１５）。
【００４７】
ステップＳ１５において最も電力消費量が少ない音声モードであると判定した場合（ステップＳ１５の“ＹＥＳ”）、通話電力処理部１００は、第１の音声変更処理を終了する。
【００４８】
一方、ステップＳ１５において最も電力消費量が少ない音声モードではないと判定した場合（ステップＳ１５の“ＮＯ”）、通話電力処理部１００は、ステップＳ１２に戻って、ステップＳ１２〜ステップＳ１５までの処理を繰り返す。つまり、通話電力処理部１００は、基地局に対する電力消費量が少ない別の音声モード（例えば、２つ下の音声モードであるモード３）への変更要求を繰り返す。
【００４９】
また、ステップＳ１１において電池部３１の電池残量が現在の音声モードにおける電池残量閾値を下回っていないと判定した場合（ステップＳ１１の“ＮＯ”）、通話電力処理部１００は、電力管理部３０から出力された電池残量通知に表された電池部３１の電池残量が、現在の音声モードにおける電池残量閾値を上回ったか否かを判定する（ステップＳ１６）。ここでは、例えば、電池部３１が充電されるなどによって電池部３１の電池残量が増加したか否かが判定される。
【００５０】
ステップＳ１６において電池部３１の電池残量が現在の音声モードにおける電池残量閾値を上回っていないと判定した場合（ステップＳ１６の“ＮＯ”）、通話電力処理部１００は、第１の音声変更処理を終了する。
【００５１】
一方、ステップＳ１６において電池部３１の電池残量が現在の音声モードにおける電池残量閾値を上回ったと判定した場合（ステップＳ１６の“ＹＥＳ”）、通話電力処理部１００は、音声通信を行う音声モードを、電力消費量が多い音声モード（例えば、現在の音声モードがモード２である場合、１つ上の音声モードであるモード１）に変更するために、音声モードの変更要求を、基地局に送信する（ステップＳ１７）。なお、このステップＳ１７における音声モードの変更要求の基地局への送信処理は、変更する音声モードの要求内容が異なるのみでステップＳ１２の処理と同様であるため、詳細な説明は省略する。
【００５２】
その後、通話電力処理部１００は、通信制御部９０から入力された基地局からの返信の情報が、音声モードの変更が許可されたことを表すか否かを判定する（ステップＳ１８）。
【００５３】
ステップＳ１８において音声モードの変更が許可されたと判定した場合（ステップＳ１８の“ＹＥＳ”）、通話電力処理部１００は、ステップＳ１４の処理と同様に、通話管理部６０に音声モードの変更を指示する。これにより、通話管理部６０は、現在の音声通信において適用されている音声信号処理の設定を、入力された電力消費量が多い音声モードの設定値に変更する（ステップＳ１９）。そして、通話電力処理部１００は、第１の音声変更処理を終了する。
【００５４】
一方、ステップＳ１８において音声モードの変更が許可されないと判定した場合（ステップＳ１８の“ＮＯ”）、通話電力処理部１００は、第１の音声変更処理を終了する。
【００５５】
このように、第１の音声変更処理では、音声モードごとの電力消費量に基づいて、通話時間を確保するために音声モードの切り替えを行う必要がある電池残量閾値を算出する。そして、第１の音声変更処理では、算出した電池残量閾値と電力管理部３０が監視した電池部３１の電池残量とを比較して、電池部３１の電池残量が電池残量閾値を下回った、または上回った場合に、基地局に音声モードの変更要求を送信する。そして、基地局から音声モードの変更が許可された場合に、現在の音声信号処理の設定を、電池部３１の電池残量に応じた設定値に変更する。これにより、端末装置１では、電池部３１の電池残量に応じた適切な音声信号処理に切り替えて、音声通信を行うことができる。
【００５６】
なお、第１の音声変更処理では、基地局に音声コーデックの種別とビットレートの値の変更を要求する場合について説明した。しかし、音声通信によって通話している相手の端末装置に音声コーデックの種別とビットレートの値の変更を要求することもできる。この場合の処理手順は、第１の音声変更処理において音声モードを変更する要求信号と音声信号処理の設定値の情報を含んだ通信パケットを送信する先が相手の端末装置に代わるのみである。
【００５７】
また、第１の音声変更処理は、端末装置１において音声通信が開始されたときから、つまり、ユーザが通話を開始したときから実行される場合について説明した。しかし、第１の音声変更処理は、ユーザが通話をしていないときに実行してもよい。例えば、ユーザが通話を開始する前に音声コーデックにおける電力消費量を低減する設定にしてもよい。また、例えば、電池部３１が充電されるなどによって電池部３１の電池残量が変化した場合に、通話中に変更した音声信号処理の設定を電池部３１の電池残量に応じてさらに変更したり、元に戻したりしてもよい。これにより、端末装置１は、次に通話が開始される最初の段階から、電池部３１の電池残量に応じた適切な音声信号処理を行うことができる。
【００５８】
＜第２の実施形態＞
次に、第２の実施形態の端末装置１における電力の管理方法について説明する。なお、第２の実施形態における端末装置１の概略構成は、図１のものと同様である。図４は、第２の実施形態における電力管理の処理手順を示したフローチャートである。図４に示した第２の実施形態の電力管理の処理（以下、「第２の音声変更処理」という）は、端末装置１のユーザが、通知された電池部３１の電池残量に応じた残りの通話時間の情報に基づいて音声モードを選択（指定）する場合の処理である。なお、以下の説明においても、電力テーブルが記憶部８０に記憶されている。ただし、第２の音声変更処理において記憶部８０に記憶されている電力テーブルは、第１の音声変更処理において記憶部８０に記憶されている電力テーブルよりも具体的にして説明を行う。より具体的には、音声を変換する際のビットレートの値などの音声モードの設定値と電力消費量とが音声コーデックの種別ごとに対応づけられたテーブル（以下、「モードテーブル」という）を用いて説明する。
【００５９】
第２の音声変更処理は、端末装置１において音声通信が開始される前、例えば、ユーザが端末装置１に対して操作を行ったときから実行される。第２の音声変更処理では、通話電力処理部１００は、ユーザによる音声モードの設定を事前に行う。音声モードの事前の設定では、通話電力処理部１００が、表示制御部４０に、音声モードの設定画面の表示を指示する。これにより、表示制御部４０は、ディスプレイ４１に音声モードの設定画面を表示する（ステップＳ２０）。なお、ユーザによる音声モードの事前の設定は、例えば、端末装置１における省エネ設定の機能として紐付けられていることが望ましい。
【００６０】
続いて、通話電力処理部１００は、電力管理部３０に電池部３１の電池残量を検出させ、電力管理部３０から検出した電池部３１の電池残量を表す情報（電池残量通知）を取得する（ステップＳ２１）。続いて、通話電力処理部１００は、ユーザによる操作によって選択された音声モードの情報を操作検知部２０から取得する（ステップＳ２２）。より具体的には、ユーザによって選択された音声コーデックの種別とビットレートの値の情報とを操作検知部２０から取得する。
【００６１】
続いて、通話電力処理部１００は、記憶部８０に記憶されているモードテーブルから、ユーザによって選択された音声モード（ビットレートの値）に対応する電力消費量の値を読み出す（ステップＳ２３）。この電力消費量の値は、それぞれのビットレートで音声コーデックが動作する際に消費する電力を予め算出または計測しておいた値である。
【００６２】
ここで、記憶部８０に記憶されているモードテーブルの一例について説明する。図５は、第２の実施形態の電力管理における音声（音声モード）の設定値と電力消費量とを対応付けたテーブル（モードテーブル）の一例を示した図である。図５に示したモードテーブルは、音声コーデックの種別ごとに、音声を変換する際のビットレートの値と、このビットレートで音声コーデックが動作する際に消費する電力を予め算出または計測しておいた電力消費量の値とが対応付けられている。図５（ａ）は、音声コーデックの種別が「ＡＭＲ」であるときのビットレートの値と電力消費量の値とが対応付けられたモードテーブルの一例を示しており、図５（ｂ）は、音声コーデックの種別が「ＥＶＳ」であるときのビットレートの値と電力消費量の値とが対応付けられたモードテーブルの一例を示している。例えば、図５（ａ）に示したＡＭＲのモードテーブルでは、ビットレートの値が「６．７［ｋｂｐｓ］」である場合、そのビットレートで音声を変換する際の電力消費量が「０．５２［Ｗ］」であることを示している。また、例えば、図５（ｂ）に示したＥＶＳのモードテーブルでは、ビットレートの値が「６４［ｋｂｐｓ］」である場合、そのビットレートで音声を変換する際の電力消費量が「２．８［Ｗ］」であることを示している。図５（ａ）、（ｂ）を見てわかるように、ビットレートの値が低くなると、電力消費量も少なくなる。なお、音声コーデックの種別が「ＡＭＲ」である場合、それぞれのビットレートで音声を変換する際の電力消費量が、音声コーデックの種別が「ＥＶＳ」である場合に比べて少ない。
【００６３】
なお、図５に示したそれぞれのモードテーブルでは、ビットレートの値と電力消費量の値との関係が線形である一例を示しているが、実際のビットレートの値と電力消費量の値との関係は、音声コーデックの種別によって線形にならない場合もある。
【００６４】
続いて、通話電力処理部１００は、電力管理部３０から取得した電池部３１の電池残量を表す情報と、記憶部８０から読み出した電力消費量の値とに基づいて、現在の電池部３１の電池残量に応じた残りの通話時間、つまり、端末装置１における通話可能時間を推定する（ステップＳ２４）。そして、通話電力処理部１００は、推定した通話可能時間の情報をユーザに通知する（ステップＳ２５）。このとき、通話電力処理部１００は、推定した通話可能時間の情報を含む音声モードの設定画面の表示を表示制御部４０に指示することによって、ディスプレイ４１に通話可能時間の情報を含む音声モードの設定画面を表示させて通知する。なお、通話可能時間の情報をユーザに通知する際には、電池部３１の電池残量を併せて示すことが考えられるが、この場合、電力管理部３０から取得した電池部３１の電池残量の値［Ｗｈ］の情報をそのまま示すのではく、電池残量を割合［％］の情報に換算して示した方が、ユーザがより電池残量を認識しやすいと考えられる。
【００６５】
ここで、電池部３１の電池残量の値［Ｗｈ］の情報を割合［％］の情報に換算する方法について説明する。図６は、第２の実施形態の電力管理において行う電池残量の換算方法の一例を示した図である。図６に示した一例は、端末装置１の動作電圧が３．３〜４．３［Ｖ］であり、電池部３１の電池容量が３［Ａｈ］である場合の一例である。図６に示したように、電力管理部３０から取得した電池部３１の電池残量の値が１２．９［Ｗｈ］である場合、電池部３１の電池容量＝３［Ａｈ］であることから、電池部３１の出力電圧は４．３［Ｖ］である。この電池部３１の出力電圧は、端末装置１における動作電圧の最大値（＝４．３［Ｖ］）であるため、電池残量の割合は１００［％］となる。同様に、電力管理部３０から取得した電池部３１の電池残量の値が９．９［Ｗｈ］である場合、電池部３１の出力電圧は３．３［Ｖ］であり、端末装置１における動作電圧の最小値（＝３．３［Ｖ］）であるため、電池残量の割合は０［％］となる。このことから、出力電圧＝０．１［Ｖ］（電池残量の値＝０．３［Ｗｈ］であってもよい）が電池部３１の電池残量の割合の１０［％］に相当することがわかる。このため、例えば、電池残量の値が１０．８［Ｗｈ］である場合には、出力電圧は３．６［Ｖ］であり、電池残量の割合は３０［％］に相当することになる。このような考え方で、電池残量の換算を行う。
【００６６】
なお、図６に示した電池残量の換算方法の一例では、出力電圧［Ｖ］（電池残量の値［Ｗｈ］であってもよい）と電池残量の割合［％］との関係が線形である一例を示している。しかし、上述したように、実際の充電式の電池（バッテリ）では、出力電圧［Ｖ］がある一定の値（例えば、約３．７［Ｖ］）くらいから急激に電池残量の割合の減少が大きくなる。従って、電池残量の値［Ｗｈ］を割合［％］に換算する際には、電池（バッテリ）の出力電圧の特性も考慮することが望ましい。
【００６７】
続いて、通話電力処理部１００における通話可能時間の推定方法について説明する。通話電力処理部１００は、下式（６）によって通話可能時間を求めることができる。
【００６８】
（通話可能時間）＝（（電池残量［Ｗｈ］）−（電池残量が０％のときの電池残量の値［Ｗｈ］））÷（電力［Ｗ］）×６０［分／時間］      ・・・（６）
【００６９】
例えば、電池残量の割合が３０［％］（すなわち、電池残量の値が１０．８［Ｗｈ］）で、音声コーデックの種別が「ＡＭＲ」である場合、ユーザによって選択されたビットレートの値が「４．７５［ｋｂｐｓ］」であるとすると、上式（６）から、通話時間は下式（７）のように求められる。
【００７０】
通話可能時間＝（１０．８［Ｗｈ］−１０［Ｗｈ］）÷０．４６［Ｗ］×６０［分／時間］＝１３０［分］      ・・・（７）
【００７１】
また、例えば、電池残量の割合が３０［％］（すなわち、電池残量の値が１０．８［Ｗｈ］）で、音声コーデックの種別が「ＥＶＳ」である場合、ユーザによって選択されたビットレートの値が「１２８［ｋｂｐｓ］」であるとすると、上式（６）から、通話時間は下式（８）のように求められる。
【００７２】
通話可能時間＝（１０．８［Ｗｈ］−１０［Ｗｈ］）÷３．６［Ｗ］×６０［分／時間］＝１３［分］      ・・・（８）
【００７３】
通話電力処理部１００は、ステップＳ２５において、上式（６）によって推定した通話可能時間の情報をユーザに通知する。ここで、推定した通話可能時間の情報をユーザに通知する音声モードの設定画面の一例について説明する。図７は、第２の実施形態の電力管理において電池残量に応じた通話可能時間の情報を通知する画面（ディスプレイ４１に表示する音声モードの設定画面）の一例を示した図である。図７に示した音声モードの設定画面の一例では、領域Ｆ１に電池部３１の電池残量を表す割合［％］の情報を通知し、領域Ｆ２−１および領域Ｆ２−２に推定した通話可能時間の情報を通知した場合を示している。なお、図７に示した音声モードの設定画面の一例では、領域Ｆ２−１に上式（８）によって推定した通話可能時間＝１３［分］の情報を通知し、領域Ｆ２−２に上式（７）によって推定した通話可能時間＝１３０［分］の情報を通知している場合を示している。
【００７４】
ユーザは、通知された電池部３１の電池残量を表す割合［％］の情報と、電池残量に応じた通話可能時間の情報とを確認し、必要に応じて別の音声モードの設定を選択（指定）することができる。例えば、図７に示した音声モードの設定画面の一例では、現在選択されている音声モードの設定を表すボタンＢ１をスライドすることによって、ユーザが別の音声モードの設定（音声コーデックの種別とビットレートの値との設定）を選択（指定）することができるようになっている。
【００７５】
図４に戻って、通話電力処理部１００は、ユーザによる操作によって別の音声モードが選択されたか否かを判定する（ステップＳ２６）。ステップＳ２６においてユーザが別の音声モードを選択したと判定した場合（ステップＳ２６の“ＹＥＳ”）、通話電力処理部１００は、ステップＳ２３に戻って、ステップＳ２３〜ステップＳ２６までの処理を繰り返す。つまり、通話電力処理部１００は、選択された別の音声モードでの通話可能時間の情報を通知する。例えば、図７に示した音声モードの設定画面の一例においては、ユーザがボタンＢ１をスライドして別の音声モードの設定を選択したとき、通話電力処理部１００は、選択された音声コーデックの種別とビットレートの値とに基づいて、通話可能時間の推定（算出）を再度行い、音声モードの設定画面で現在通知している通話可能時間の情報を更新する。
【００７６】
一方、ステップＳ２６においてユーザが別の音声モードを選択していない、つまり、現在選択されている音声モードの設定がユーザによる最終的な音声モードの設定であると判定した場合（ステップＳ２６の“ＮＯ”）、通話電力処理部１００は、音声通信における音声モードを、ユーザによって選択（指定）された音声モードに変更するために、現在選択されている音声モードの設定値への変更要求を、基地局に送信する（ステップＳ２７）。この音声モードの設定値には、電池部３１の現在の電池残量に適した音声コーデックの種別とビットレートの値との情報が含まれている。なお、このステップＳ２７における音声モードの変更要求の基地局への送信処理は、図３に示した第１の音声変更処理におけるステップＳ１２の音声モードの変更要求の処理と同様に考えることができるため、詳細な説明は省略する。
【００７７】
その後、通話電力処理部１００は、音声モードの変更が許可されたことを表す通知が通信制御部９０から入力されると、通話管理部６０に、現在選択されている音声モードの設定値を出力し、音声モードの変更を指示する（ステップＳ２８）。なお、このステップＳ２８における音声モードの変更処理も、図３に示した第１の音声変更処理におけるステップＳ１４の音声モードの変更指示の処理と同様に考えることができるため、詳細な説明は省略する。
【００７８】
このように、第２の音声変更処理では、ユーザによって選択（指定）された音声モードの設定値に、音声処理部７０に現在設定されている音声信号処理の設定を変更する。これにより、端末装置１では、ユーザが所望する音声モードに切り替えて、音声通信を行うことができる。
【００７９】
なお、第２の音声変更処理でも、音声通信によって通話している相手の端末装置に音声モードの変更を要求する場合の考え方は、図３に示した第１の音声変更処理の考え方と同様である。
【００８０】
＜第３の実施形態＞
次に、第３の実施形態の端末装置１における電力の管理方法について説明する。なお、第３の実施形態における端末装置１の概略構成は、図１のものと同様である。図８は、第３の実施形態における電力管理の処理手順を示したフローチャートである。図８に示した第３の実施形態の電力管理の処理（以下、「第３の音声変更処理」という）は、図３に示した第１の音声変更処理に撮影画像が組み合わされた場合の処理である。つまり、第３の音声変更処理は、端末装置１における音声通信が、音声と撮影画像とを組み合わせたビデオ通話である場合の処理である。端末装置１では、音声通信がビデオ通話である場合、音声モードの変更要求に加えて、電池部３１の電池残量に適した画像処理、つまり、カメラ制御部５０における画像コーデックのビットレート（以下、音声コーデックにおけるビットレートと区別するため、「画像ビットレート」という）の値の変更も、基地局に要求する。なお、以下の説明においては、画像コーデックにおける画像処理の設定も、通話管理部６０が管理しているものとして説明する。また、以下の説明においても、電力テーブルが記憶部８０にすでに記憶されているものとして説明する。ただし、第３の音声変更処理において記憶部８０に記憶されている電力テーブルは、第１の音声変更処理において記憶部８０に記憶されている電力テーブルに、画像ビットレートの情報（画像処理の情報）が追加されているテーブルである。そして、第３の実施形態の端末装置１では、第１の音声変更処理において記憶部８０に記憶されている音声モード変更テーブルに対応するテーブルとして、電力テーブルに基づいて算出した電池残量ごとに、音声コーデックの種別とビットレートの値や、画像ビットレートの値などが対応付けられたテーブル（以下、このテーブルも「モードテーブル」という）が記憶部８０に記憶されているものとして説明する。第３の実施形態の端末装置１では、このモードテーブルに基づいて、電池部３１の電池残量に適した音声モードおよび画像モードへの変更を指示する。
【００８１】
第３の音声変更処理は、端末装置１においてビデオ通話が開始されたときから実行される。第３の音声変更処理が実行されると、まず、通話電力処理部１００は、第１の音声変更処理におけるステップＳ１０と同様に、電力管理部３０から出力された電池残量通知を受け取る（ステップＳ３０）。
【００８２】
続いて、通話電力処理部１００は、通話管理部６０から、現在の音声通信において適用されている音声信号処理の設定、つまり、音声処理部７０に設定されている音声コーデックの種別とビットレートの値との情報（以下、「音声モード情報」という）と、現在の画像処理の設定、つまり、カメラ制御部５０に設定されている画像コーデックに関する情報（以下、「画像モード情報」という）とのそれぞれを取得する（ステップＳ３１）。ここで、画像モード情報には、例えば、カメラ５１から入力された被写体の画像情報に対して施す画像処理の設定、カメラ５１が画像を撮影するビットレートの値、ビデオ通話において画像を送信するか否か（つまり、画像送信のＯＮまたはＯＦＦ）の設定が含まれている。
【００８３】
続いて、通話電力処理部１００は、記憶部８０に記憶されているモードテーブルから、取得した電池残量通知に表された電池部３１の電池残量に対応する音声モードの設定値と、画像モードの設定値とを読み出す（ステップＳ３２）。
【００８４】
ここで、記憶部８０に記憶されているモードテーブルの一例について説明する。図９は、第３の実施形態の電力管理における電池残量と、音声（音声モード）および画像（画像モード）の設定値とを対応付けたテーブル（モードテーブル）の一例を示した図である。図９に示したモードテーブルは、電池部３１の予め定めた電池残量の割合ごとに、音声コーデックの種別およびビットレートの値の音声モードの設定値と、画像ビットレートの画像モードの設定値として、画像のＯＮまたはＯＦＦとが対応付けられている。例えば、図９に示したモードテーブルにおいて電池残量が「８１〜９０［％］」である場合、音声モードの設定値として、音声コーデックの種別＝「ＥＶＳ」、ビットレートの値＝「６４キロビット／秒（ｋｂｐｓ）」が対応付けられ、画像モードの設定として「画像ＯＮ」が対応付けられている。また、例えば、図９に示したモードテーブルにおいて電池残量が「２１〜３０［％］」である場合、音声モードの設定値として、音声コーデックの種別＝「ＡＭＲ」、ビットレートの値＝「６．７キロビット／秒（ｋｂｐｓ）」が対応付けられ、画像モードの設定として「画像ＯＮ」が対応付けられている。また、例えば、図９に示したモードテーブルにおいて電池残量が「１１〜２０［％］」である場合、音声モードの設定値として、音声コーデックの種別＝「ＡＭＲ」、ビットレートの値＝「５．１５キロビット／秒（ｋｂｐｓ）」が対応付けられ、画像モードの設定として「画像ＯＦＦ」が対応付けられている。このように、モードテーブルでは、電池残量が少なくなるにしたがって、音声信号処理や画像処理の負荷が少なくなるように、電池残量と、音声モードおよび画像モードの設定値とが対応付けられている。これにより、端末装置１では、電池部３１の電池残量が少ない場合には、少ない電力消費量で音声通信を行い、通話時間を確保することができる。また、端末装置１では、電池部３１の電池残量がさらに少ない場合には、ビデオ通話においても画像の送信を行わない、つまり、音声通話に切り替えることによって電力消費量をさらに低減し、通話時間を確保することができる。
【００８５】
なお、第３の実施形態においても第１の実施形態と同様に、通話可能時間をユーザが指定し、指定された通話可能時間を確保するために音声モードおよび画像モードの設定値を切り替える電池残量閾値を電力テーブルに基づいて算出した音声モード変更テーブルを記憶部８０に記憶し、音声モード変更テーブルを参照して電池部３１の電池残量に適した設定値への変更を指示することもできる。
【００８６】
図８に戻って、通話電力処理部１００は、通話管理部６０から取得した音声モード情報および画像モード情報と、記憶部８０から読み出した音声モードおよび画像モードの設定値とを比較する。より具体的には、通話電力処理部１００は、通話管理部６０から取得した音声モード情報に含まれる音声コーデックの種別と、記憶部８０から読み出した音声モードの設定値に含まれる音声コーデックの種別とを比較する。また、通話電力処理部１００は、通話管理部６０から取得した音声モード情報に含まれるビットレートの値と、記憶部８０から読み出した音声モードの設定値に含まれるビットレートの値とを比較する。また、通話電力処理部１００は、通話管理部６０から取得した画像モード情報に含まれる画像処理の設定と、記憶部８０から読み出した画像モードの設定値に含まれる画像処理の設定とを比較、つまり、画像コーデックに関する情報を比較する。そして、通話電力処理部１００は、通話管理部６０から取得した音声モード情報および画像モード情報と、記憶部８０から読み出した音声モードおよび画像モードの設定値とのそれぞれが一致するか否かを判定する（ステップＳ３３）。
【００８７】
ステップＳ３３において比較したそれぞれが一致すると判定した場合（ステップＳ３３の“ＹＥＳ”）、通話電力処理部１００は、ステップＳ３０に戻って、ステップＳ３０〜ステップＳ３３までの処理を繰り返す。一方、ステップＳ３３において比較したそれぞれが一致しないと判定した場合（ステップＳ３３の“ＮＯ”）、通話電力処理部１００は、ビデオ通話における音声モードおよび画像モードを、電池部３１の現在の電池残量に適した音声モードおよび画像モードに変更するための変更要求を、基地局に送信する（ステップＳ３４）。なお、このステップＳ３４における音声モードおよび画像モードの変更要求の基地局への送信処理は、画像モードの設定値が追加される以外は、図３に示した第１の音声変更処理におけるステップＳ１２の音声モードの変更要求の処理と同様に考えることができるため、詳細な説明は省略する。
【００８８】
その後、通話電力処理部１００は、音声モードおよび画像モードの変更が許可されたことを表す通知が通信制御部９０から入力されると、通話管理部６０に、記憶部８０から読み出した音声モードの設定値および画像モードの設定値のそれぞれを出力し、音声モードおよび画像モードの変更を指示する（ステップＳ３５）。なお、このステップＳ３５における音声モードおよび画像モードの変更処理も、画像モードの設定値に応じた変更が行われる以外は、図３に示した第１の音声変更処理におけるステップＳ１４の音声モードの変更指示の処理と同様に考えることができるため、詳細な説明は省略する。
【００８９】
このように、第３の音声変更処理では、通話管理部６０から取得した音声モード情報および画像モード情報と、記憶部８０から読み出した音声モードおよび画像モードの設定値とを比較し、それぞれの比較結果が異なる場合に、基地局に音声モードおよび画像モードの変更要求を送信する。そして、基地局が音声モードおよび画像モードの変更を許可した場合に、現在の音声信号処理および画像処理の設定を、電池部３１の電池残量に対応する設定に変更する。これにより、端末装置１では、電池部３１の電池残量に応じた適切な音声信号処理および画像処理に切り替えて、音声通信（ビデオ通話）を行うことができる。
【００９０】
なお、第３の音声変更処理でも、ビデオ通話によって通話している相手の端末装置に音声モードおよび画像モードの変更を要求する場合の考え方は、図３に示した第１の音声変更処理の考え方と同様である。また、第３の音声変更処理を開始する時期の考え方も、図３に示した第１の音声変更処理の考え方と同様である。また、第３の音声変更処理の考え方を、図４に示した第２の音声変更処理に適用することもできる。
【００９１】
上記に述べたとおり、本発明を実施するための形態によれば、端末装置に備えている電池（バッテリ）の電池残量を逐次監視（モニター）し、監視した電池残量に基づいて、音声コーデックや画像コーデックが動作する際に消費する電力が少なくなるように、音声コーデックや画像コーデックの設定を変更する。これにより、本発明を実施するための形態では、通話中であっても、端末装置における音声通信における音声信号処理やビデオ通話における画像処理を、電池（バッテリ）の電池残量に応じた適切な処理に切り替えることができる。このことにより、本発明を実施するための形態では、端末装置の低消費電力化を、通話中であっても実現することができる。つまり、本発明を実施するための形態では、従来の移動体通信端末における省電力化の技術のように、通話中においてユーザが会話をしていない無音時のみではなく、通話中でかつユーザが会話をしているときであっても、電池の使用量を低減することができる。
【００９２】
以上、本発明の実施形態について、図面を参照して説明してきたが、具体的な構成はこの実施形態に限定されるものではなく、本発明の趣旨を逸脱しない範囲においての種々の変更も含まれる。
【産業上の利用可能性】
【００９３】
本発明は、携帯電話、スマートフォンなど音声通信を行う端末装置に利用することができる。
【符号の説明】
【００９４】
１・・・端末装置、１０・・・端末制御部、２０・・・操作検知部、３０・・・電力管理部、３１・・・電池部（電池）、４０・・・表示制御部（表示部）、４１・・・ディスプレイ（表示部）、５０・・・カメラ制御部（画像処理部）、５１・・・カメラ（撮影部）、６０・・・通話管理部（音声通信部）、７０・・・音声処理部（音声通信部，音声処理部）、７１・・・マイク（音声通信部，音声処理部）、７２・・・スピーカー（音声通信部，音声処理部）、７３・・・レシーバ（音声通信部，音声処理部）、８０・・・記憶部、９０・・・通信制御部（音声通信部，通信部）、９１・・・モデム部（音声通信部，通信部）、９２・・・送信部（音声通信部，通信部）、９３・・・受信部（音声通信部，通信部）、１００・・・通話電力処理部
【図１】
2016158117.tif 000003
【図２】
2016158117.tif 000004
【図３】
2016158117.tif 000005
【図４】
2016158117.tif 000006
【図５】
2016158117.tif 000007
【図６】
2016158117.tif 000008
【図７】
2016158117.tif 000009
【図８】
2016158117.tif 000010
【図９】
2016158117.tif 000011